【手続補正書】
【提出日】平成27年5月7日(2015.5.7)
【手続補正１】
【補正対象書類名】特許請求の範囲
【補正対象項目名】全文
【補正方法】変更
【補正の内容】
【特許請求の範囲】
【請求項１】
物体側より像側へ順に、正の屈折力の第１レンズ群、負の屈折力の第２レンズ群、開口絞り、正の屈折力の第３レンズ群、１以上のレンズ群を含む後群より構成され、ズーミングに際して隣り合うレンズ群の間隔が変化するズームレンズにおいて、
広角端に比べて望遠端において、前記第１レンズ群は物体側に移動し、前記第３レンズ群は複数の正レンズを含み、
前記第３レンズ群に含まれる正レンズの材料の部分分散比をθｇＦ３Ｐ、アッベ数をνｄ３Ｐとするとき、前記第３レンズ群に含まれる全ての正レンズは、
θｇＦ３Ｐ−（−１．６６５×１０−７×νｄ３Ｐ３＋５．２１３×１０−５×νｄ３Ｐ２−５．６５６×１０−３×νｄ３Ｐ＋０．７３７）＞０
５０．０＜νｄ３Ｐ＜１００．０
なる条件式を満足するレンズであり、
広角端と望遠端における全系の焦点距離を各々ｆＷ、ｆＴ、前記第１レンズ群の焦点距離をｆ１、前記第３レンズ群の焦点距離をｆ３とするとき、
８．０＜ｆＴ／ｆ３＜２０．０
１５．０＜ｆ１／ｆＷ＜３０．０
なる条件式を満足することを特徴とするズームレンズ。
【請求項２】
請求項１に記載のズームレンズにおいて、
３．５＜ｆ３／ｆＷ＜６．５
なる条件式を満足することを特徴とするズームレンズ。
【請求項３】
前記第３レンズ群は最も物体側に正レンズを有し、該正レンズの焦点距離をｆ３Ａとするとき、
１０．０＜ｆＴ／ｆ３Ａ＜２２．０
なる条件式を満足することを特徴とする請求項１又は２に記載のズームレンズ。
【請求項４】
広角端から望遠端へのズーミングにおける前記第３レンズ群の移動量をＭ３とするとき、
−１１．０＜Ｍ３／ｆＷ＜−４．５
なる条件式を満足することを特徴とする請求項１乃至３のいずれか１項に記載のズームレンズ。 
【請求項５】
広角端から望遠端へのズーミングにおける前記第１レンズ群の移動量をＭ１とするとき、
−２０．０＜Ｍ１／ｆＷ＜−７．５
なる条件式を満足することを特徴とする請求項１乃至４のいずれか１項に記載のズームレンズ。 
【請求項６】
前記第１レンズ群は正レンズを含む３つのレンズからなり、前記第１レンズ群に含まれる正レンズの材料の部分分散比をθｇＦ１Ｐ、アッベ数をνｄ１Ｐとするとき、
前記第１レンズ群に含まれる少なくとも１枚の正レンズは、
θｇＦ１Ｐ−（−１．６６５×１０−７・νｄ１Ｐ３＋５．２１３×１０−５・νｄ１Ｐ２−５．６５６×１０−３×νｄ１Ｐ＋０．７３７）＞０
５０．０＜νｄ１Ｐ＜１００．０
なる条件式を満足するレンズであることを特徴とする請求項１乃至５のいずれか１項に記載のズームレンズ。 
【請求項７】
前記第１レンズ群は負レンズを有し、前記第１レンズ群に含まれる負レンズの材料の部分分散比をθｇＦ１Ｎ、アッベ数をνｄ１Ｎとするとき、
前記第１レンズ群に含まれる少なくとも１枚の負レンズは、
３０．０＜νｄ１Ｎ＜５０．０
０．５２＜θｇＦ１Ｎ
θｇＦ１Ｎ＜−０．００２０３×νｄ１Ｎ＋０．６５６
なる条件式を満足するレンズであることを特徴とする請求項１乃至６のいずれか１項に記載のズームレンズ。
【請求項８】
前記第１レンズ群は負レンズを有し、前記第１レンズ群に含まれる負レンズの材料の屈折率をｎｄとするとき、
前記第１レンズ群に含まれる少なくとも１枚の負レンズは、
１．７５＜ｎｄ＜２．１０
なる条件式を満足するレンズであることを特徴とする請求項１乃至７のいずれか１項に記載のズームレンズ。
【請求項９】
前記第２レンズ群の焦点距離をｆ２とするとき、
−４０．０＜ｆＴ／ｆ２＜−２０．０
なる条件式を満足することを特徴とする請求項１乃至８のいずれか１項に記載のズームレンズ。 
【請求項１０】
広角端から望遠端へのズーミングに際し、全てのレンズ群が移動することを特徴とする請求項１乃至９のいずれか１項に記載のズームレンズ。
【請求項１１】
前記開口絞りは、ズーミングに際して、各レンズ群とは異なる軌跡で移動することを特徴とする請求項１乃至１０のいずれか１項に記載のズームレンズ。
【請求項１２】
広角端から望遠端へのズーミングにおける前記開口絞りの移動量をＭＳとするとき、
−２０．０＜ｆＴ／ＭＳ＜−１１．０
なる条件式を満足することを特徴とする請求項１乃至１１のいずれか１項に記載のズームレンズ。
【請求項１３】
広角端から望遠端へのズーミングにおける前記第３レンズ群と前記開口絞りの移動量を各々Ｍ３、ＭＳとするとき、
０．４５＜ＭＳ／Ｍ３＜０．７０
なる条件式を満足することを特徴とする請求項１乃至１２のいずれか１項に記載のズームレンズ。
【請求項１４】
広角端における前記第２レンズ群の最も像側のレンズ面から前記開口絞りまでの距離をＤ２、広角端における前記開口絞りから前記第３レンズ群の最も物体側のレンズ面までの距離をＤ３とするとき、
１．０＜Ｄ２／Ｄ３＜５．０
なる条件式を満足することを特徴とする請求項１乃至１３のいずれか１項に記載のズームレンズ。
【請求項１５】
前記第１レンズ群は、広角端から望遠端へのズーミングに際して、像側へ移動したのち物体側へ移動することを特徴とする請求項１乃至１４のいずれか１項に記載のズームレンズ。
【請求項１６】
無限遠物体から近距離物体へのフォーカシングに際して、前記後群の中で最も像側に配置されたレンズ群が物体側へ移動することを特徴とする請求項１乃至１５のいずれか１項に記載のズームレンズ。
【請求項１７】
前記後群は、物体側から像側へ順に、負の屈折力の第４レンズ群、正の屈折力の第５レンズ群よりなることを特徴とする請求項１乃至１６のいずれか１項に記載のズームレンズ。
【請求項１８】
前記後群は、正の屈折力の第４レンズ群よりなることを特徴とする請求項１乃至１６のいずれか１項に記載のズームレンズ。
【請求項１９】
前記後群は、物体側から像側へ順に、正の屈折力の第４レンズ群、正の屈折力の第５レンズ群よりなることを特徴とする請求項１乃至１６のいずれか１項に記載のズームレンズ。
【請求項２０】
請求項１乃至１９のいずれか１項に記載のズームレンズと、該ズームレンズによって形成される像を受光する光電変換素子を有することを特徴とする撮像装置。
【手続補正２】
【補正対象書類名】明細書
【補正対象項目名】００１２
【補正方法】変更
【補正の内容】
【００１２】
本発明のズームレンズは、物体側より像側へ順に、正の屈折力の第１レンズ群、負の屈折力の第２レンズ群、開口絞り、正の屈折力の第３レンズ群、１以上のレンズ群を含む後群より構成され、ズーミングに際して隣り合うレンズ群の間隔が変化するズームレンズにおいて、
広角端に比べて望遠端において、前記第１レンズ群は物体側に移動し、前記第３レンズ群は複数の正レンズを含み、
前記第３レンズ群に含まれる正レンズの材料の部分分散比をθｇＦ３Ｐ、アッベ数をνｄ３Ｐとするとき、前記第３レンズ群に含まれる全ての正レンズは、
θｇＦ３Ｐ−（−１．６６５×１０−７×νｄ３Ｐ３＋５．２１３×１０−５×νｄ３Ｐ２−５．６５６×１０−３×νｄ３Ｐ＋０．７３７）＞０
５０．０＜νｄ３Ｐ＜１００．０
なる条件式を満足するレンズであり、
広角端と望遠端における全系の焦点距離を各々ｆＷ、ｆＴ、前記第１レンズ群の焦点距離をｆ１、前記第３レンズ群の焦点距離をｆ３とするとき、
８．０＜ｆＴ／ｆ３＜２０．０
１５．０＜ｆ１／ｆＷ＜３０．０
なる条件式を満足することを特徴としている。
【手続補正３】
【補正対象書類名】明細書
【補正対象項目名】００３０
【補正方法】変更
【補正の内容】
【００３０】
実施例１、４、５では、後群ＬＲの中で最も像側に配置された第５レンズ群Ｌ５を光軸上を移動させてフォーカシング（フォーカス）を行うリヤフォーカス式を採用している。また、開口絞りＳＰを広角端から望遠端のズーミングに際し、物体側へ各レンズ群とは異なった軌跡で移動させることにより、前玉有効径の小型化を図っている。また、開口絞りＳＰを広角端に比べて望遠端において物体側に位置するように移動させることにより、広画角化を図る際の前玉有効径の小型化を図っている。
【手続補正４】
【補正対象書類名】明細書
【補正対象項目名】００３６
【補正方法】変更
【補正の内容】
【００３６】
実施例２では後群ＬＲの中で最も像側に配置された第４レンズ群Ｌ４を光軸上を移動させてフォーカシングを行うリヤフォーカス式を採用している。また、開口絞りＳＰをズーミングに際し、他のレンズ群とは異なった軌跡で移動させることにより、前玉有効径の小型化を図っている。また、開口絞りＳＰを広角端に比べて望遠端において物体側に位置するように移動させることにより、広画角化を図る際の前玉有効径の小型化を図っている。そして、第４レンズ群Ｌ４を移動させて変倍に伴う像面変動を補正すると共に、フォーカシングを行っている。
【手続補正５】
【補正対象書類名】明細書
【補正対象項目名】００４２
【補正方法】変更
【補正の内容】
【００４２】
実施例３では後群ＬＲの中で最も像側に配置された第５レンズ群Ｌ５を光軸上を移動させてフォーカシングを行うリヤフォーカス式を採用している。また、開口絞りＳＰを広角端から望遠端のズーミングに際し、物体側へ各レンズ群とは異なった軌跡で移動させることにより、前玉有効径の小型化を図っている。また、開口絞りＳＰを広角端に比べて望遠端において物体側に位置するように像側に凸状の軌跡で移動させることにより、広画角化を図る際の前玉有効径の小型化を図っている。そして、第５レンズ群Ｌ５を移動させて変倍に伴う像面変動を補正すると共に、フォーカシングを行っている。
【手続補正６】
【補正対象書類名】明細書
【補正対象項目名】００５８
【補正方法】変更
【補正の内容】
【００５８】
次に各実施例の共通した特徴について説明する。各実施例において、広角端に比べて望遠端において、第１レンズ群Ｌ１は物体側に移動している。第３レンズ群Ｌ３は複数の正レンズを含んでいる。第３レンズ群Ｌ３に含まれる正レンズの材料の部分分散比をθｇＦ３Ｐ、アッベ数をνｄ３Ｐとする。このとき第３レンズ群Ｌ３に含まれる全ての正レンズは、
θｇＦ３Ｐ−（−１．６６５×１０−７・νｄ３Ｐ３＋５．２１３×１０−５・νｄ３
Ｐ２−５．６５６×１０−３・νｄ３Ｐ＋０．７３７）＞０        ・・・（１）
５０．０＜νｄ３Ｐ＜１００．０                            ・・・（２）
なる条件式を満足している。広角端と望遠端における全系の焦点距離を各々ｆＷ、ｆＴとする。第１レンズ群Ｌ１の焦点距離をｆ１、第３レンズ群Ｌ３の焦点距離をｆ３とする。
【手続補正７】
【補正対象書類名】明細書
【補正対象項目名】００５９
【補正方法】変更
【補正の内容】
【００５９】
このとき、
８．０＜ｆＴ／ｆ３＜２０．０                          ・・・（３）
１５．０＜ｆ１／ｆＷ＜３０．０                        ・・・（４）
なる条件式を満足している。ここで、材料のアッベ数νｄ３Ｐ、部分分散比θｇＦ３Ｐは前述したとおりである。
【手続補正８】
【補正対象書類名】明細書
【補正対象項目名】００６７
【補正方法】変更
【補正の内容】
【００６７】
第３レンズ群Ｌ３は最も物体側に正レンズを有し、正レンズの焦点距離をｆ３Ａとする。広角端から望遠端へのズーミングにおける第１レンズ群Ｌ１と第３レンズ群Ｌ３の移動量を各々Ｍ１、Ｍ３とする。第１レンズ群Ｌ１は正レンズを含む３つのレンズからなり、第１レンズ群Ｌ１に含まれる正レンズの材料の部分分散比をθｇＦ１Ｐ、アッベ数をνｄ１Ｐとする。このとき第１レンズ群Ｌ１に含まれる少なくとも１枚の正レンズは次の条件式（９）、（１０）のうち１つ以上を満足するのが良い。第１レンズ群Ｌ１は負レンズを有し、第１レンズ群Ｌ１内に含まれる負レンズの材料の部分分散比をθｇＦ１Ｎ、アッベ数をνｄ１Ｎとする。
【手続補正９】
【補正対象書類名】明細書
【補正対象項目名】００６８
【補正方法】変更
【補正の内容】
【００６８】
第１レンズ群Ｌ１内に含まれる負レンズの材料の屈折率をｎｄとする。このとき第１レンズ群Ｌ１に含まれる少なくとも１枚の負レンズは次の条件式（１１）乃至（１３）のうち１つ以上を満足するのが良い。広角端において第２レンズ群Ｌ２の最も像側のレンズ面から開口絞りＳＰまでの距離をＤ２、広角端において開口絞りＳＰから第３レンズ群Ｌ３の最も物体側のレンズ面までの距離をＤ３とする。このとき、以下の条件式のうち１以上を満足するのが良い。
【手続補正１０】
【補正対象書類名】明細書
【補正対象項目名】０１０８
【補正方法】変更
【補正の内容】
【０１０８】
数値実施例２
単位 mm
面データ
面番号       r        d      nd         νd       θgF
1        118.898    1.00   1.83400    37.2      0.578
2         51.355    5.65   1.43875    94.9      0.534
3       -146.583    0.18 
4         44.384    3.60   1.59282    68.6      0.544
5        180.112  (可変) 
6*       330.723    0.70   1.88300    40.8
7*         8.391    4.69
8        -36.639    0.50   1.80400    46.6
9         29.170    0.20
10         16.884    2.00   1.94595    18.0
11         84.719  (可変)
12(絞り)    ∞     (可変)
13*        10.061    3.05   1.55332    71.7      0.540
14*       -71.895    2.21
15         26.902    0.50   1.64769    33.8
16         12.571    0.36
17         21.417    0.50   1.80400    46.6
18          8.405    2.50   1.45600    90.3
19        -25.249    0.30
20       -273.798    0.50   1.43875    94.9      0.534
21         46.826  (可変) 
22         24.630    2.50   1.74950    35.3
23        -27.309    0.50   1.94595    18.0
24       -144.500  (可変)
25          ∞       0.50   1.51633    64.1 
26          ∞       0.50
像面        ∞   
非球面データ
第6面
K =-1.75187e+004  B= 1.82087e-005  C= 2.83972e-007  D=-7.97912e-009  E= 4.09945e-011  F= 2.21220e-014  
第7面
K = 1.20528e-001  B=-7.55082e-005  C= 1.39022e-006  D=-4.15841e-009  E=-7.59217e-010  F=-2.97367e-012  
第13面
K =-1.58517e-001  B=-2.35006e-005  C=-4.60642e-007  D= 3.31500e-009  E= 2.62605e-010  
第14面
K = 9.03683e+001  B= 1.28628e-004  C= 2.76898e-007  
各種データ
ズーム比    48.37 
広角     中間     望遠
焦点距離       4.30    13.30   208.00  
Fナンバー      2.87     5.00     7.07  
半画角（度）  37.77    16.25     1.07  
レンズ全長    94.75    94.56   138.99  
ＢＦ          10.40    19.43    10.43  
d 5            0.78    17.70    63.20  
d11           34.26    13.22     0.90  
d12           10.24     3.39    -0.50  
d21            7.62     9.38    33.52  
d24            9.57    18.60     9.60  
ズームレンズ群データ
群  始面    焦点距離
1    1      79.99
2    6      -9.25
3   12       ∞ 
4   13      22.13
5   22      33.59 
6   25       ∞ 
【手続補正１１】
【補正対象書類名】明細書
【補正対象項目名】０１１２
【補正方法】変更
【補正の内容】
【０１１２】
2013242430.tif 000001
【手続補正１２】
【補正対象書類名】図面
【補正対象項目名】図９
【補正方法】変更
【補正の内容】
【図９】
2013242430.tif 000002